(57)【要約】【課題】製品やその付属品を仕切壁で仕切られた別々の収納室に収納し、大きな衝撃を受けても仕切壁が外れずに、内容物が収納室から移動しない簡単な構造の収納箱を提供する。【解決手段】底壁２と第１乃至第４側壁３〜６とを有する収納箱１において、第１側壁３（仕切壁用側壁）に連続するフラップ部を折り畳んで底壁２に第１及び第２仕切壁１２，１３を立設する。これら第１及び第２仕切壁１２，１３で仕切られた第２収納室２２に電池や電池蓋を収納する。底壁２に電池や電池蓋が第１及び第２仕切壁１２，１３を通過して移動するのを防止する補強手段３２を設ける。【選択図】図２
2007290733.tif 000002
【特許請求の範囲】
【請求項１】
底壁と側壁と仕切壁とを備え、該仕切壁で仕切られた各収納室に電子機器及びその付属品を収納する収納箱において、
上記仕切壁は、上記側壁のうちの仕切壁用側壁に連続するフラップ部を折り畳んで該仕切壁用側壁と所定の間隔を空けて上記底壁に立設されるように構成され、
上記底壁は、スリット及び該スリットに連続する切り起こし線で区切られた舌形状の舌片を、該切り起こし線を境に折り曲げて起立させることにより形成する仕切壁の補強手段を備え、
上記補強手段の先端は、Ｕ字状に切り欠かれた切欠部を有し、
上記仕切壁は、上記底壁側が切り欠かれた係合用孔を有し、上記舌片を起立させてその先端の切欠部を該係合用孔に係合することにより、仕切壁が倒れて上記電子機器又はその付属品が該仕切壁を通過して移動するのを防止するように構成されている
ことを特徴とする収納箱。
【請求項２】
請求項１に記載の収納箱において、
上記舌片の切り起こし線と上記仕切壁とは、交差する傾きをもち、
上記切欠部の周縁が上記仕切壁の係合用孔を挟み込むように構成されている
ことを特徴とする収納箱。
【請求項３】
請求項２に記載の収納箱において、
上記仕切壁の係合用孔は、該仕切壁下端と切り起こし線との交点を中心とする扇形に切り取られて成形されている
ことを特徴とする収納箱。
【請求項４】
請求項２に記載の収納箱において、
上記仕切壁の係合用孔は、該仕切壁下端と切り起こし線との交点を中心として、底壁側から徐々に半径が小さくなる略扇形に切り取られて成形されている
ことを特徴とする収納箱。
【請求項５】
請求項４に記載の収納箱において、
上記仕切壁の係合用孔の上記底壁と反対側端部には、上記補強手段の先端を保持するための係合用凹部が形成されている
ことを特徴とする収納箱。
【請求項６】
請求項１乃至５のいずれか１つに記載の収納箱において、
上記仕切壁は、上記仕切壁用側壁から所定の距離を空けて立設された中央仕切壁で構成され、
上記仕切壁用側壁と底壁と中央仕切壁とで第１収納室が仕切られている
ことを特徴とする収納箱。
【請求項７】
請求項１乃至５のいずれか１つに記載の収納箱において、
上記仕切壁用側壁から伸びるフラップ部を折り畳むことで上記底壁よりも高い位置にある上側底壁が形成され、
上記仕切壁は、上記上側底壁に連続するフラップ部を折り畳んで立設された中央仕切壁で構成され、
上記仕切壁用側壁と上側底壁と中央仕切壁とで第１収納室が仕切られている
ことを特徴とする収納箱。
【請求項８】
請求項６又は７に記載の収納箱において、
上記補強手段は、上記中央仕切壁に略直角に交わり、該中央仕切壁を上記仕切壁用側壁側及び反対側に倒れるのを防ぐように構成されている
ことを特徴とする収納箱。
【請求項９】
請求項１乃至５のいずれか１つに記載の収納箱において、
上記仕切壁用側壁から伸びるフラップ部を折り畳むことで上記底壁よりも高い位置にある上側底壁が形成され、
上記上側底壁に連続するフラップ部を折り畳んで底壁に中央仕切壁が立設され、
上記仕切壁は、上記中央仕切壁に連続するフラップ部を折り畳んで該中央仕切壁と略平行に立設された第１仕切壁と、該第１仕切壁に連続するフラップ部をさらに上記中央仕切壁側に折り畳んで該中央仕切壁に略垂直に交わる第２仕切壁とで構成され、
上記仕切壁用側壁と上側底壁と中央仕切壁とで第１収納室が仕切られ、
上記底壁と第１仕切壁と第２仕切壁と中央仕切壁で仕切られた空間で第２収納室が形成され、
少なくとも第１及び第２仕切壁のいずれか一方は、上記補強手段によって補強されている
ことを特徴とする収納箱。
【請求項１０】
請求項１乃至９のいずれか１つに記載の収納箱において、
１枚の板紙から形成される
ことを特徴とする収納箱。
【請求項１１】
請求項１乃至１０のいずれか１つに記載の収納箱において、
上記底壁よりも若干大きな底板及び天板を有する外装箱の中に挿入され、上方から該天板又は外装箱の仕切板で覆われた状態で梱包される
ことを特徴とする収納箱。
【請求項１２】
請求項１乃至１１のいずれか１つに記載の収納箱において、
携帯通信機器及びその付属品を収納する収納箱である
ことを特徴とする収納箱。
【発明の詳細な説明】
【技術分野】
【０００１】
本発明は、電子機器及びその付属品の収納箱に関し、特にその仕切壁の補強構造に関する。
【背景技術】
【０００２】
電子機器及びその付属品を収納するための収納箱は、仕切壁で各収納室に仕切られ、これら収納室に電子機器本体、付属品等がそれぞれ収納されている。
【０００３】
例えば、特許文献１のように、１枚の段ボールを用いて蛍光スタンドを収納する際、底板から舌片を切り起こし、舌片の先端に突出部を設け、該突出部を上蓋の切溝に係止して舌片のズレを防止するものが知られている。
【０００４】
また、例えば、特許文献２のように、収納箱本体と仕切体とを別々に成形し、収納箱本体に仕切体を嵌め込んで収納箱の内部を仕切体で仕切り、仕切体にパックのフランジをのせてパックを宙吊りに支持するものが知られている。
【特許文献１】特開平８−４０４８０号公報
【特許文献２】特開２００５−１１９６８５号公報
【発明の開示】
【発明が解決しようとする課題】
【０００５】
しかしながら、上記特許文献１のように舌片の先端の突出部を上蓋の切溝にのみ係止した場合には、上蓋の肉厚程度の強度では、大きな衝撃があると、内容物の重みで舌片の先端の突出部が切溝から外れ、舌片を通過して内容物が収納室外に移動してしまったり、最悪の場合には、収納室から飛び出した内容物が、他の内容物と接触するなどにより破壊されてしまうことがある。
【０００６】
また、上記特許文献２のように収納箱本体と、仕切体とを別々の板紙から形成することは、構造が複雑となって製造コストがかさみ、組立工数も増えて経済的ではないという問題がある。
【０００７】
本発明は、かかる点に鑑みてなされたものであり、その目的とするところは、製品やその付属品を仕切壁で仕切られた別々の収納室に収納し、大きな衝撃を受けても仕切壁が外れずに、電子機器及びその付属品が収納室から移動しない簡単な構造の収納箱を提供することにある。
【課題を解決するための手段】
【０００８】
上記課題を解決するために、本発明では、底壁に仕切壁を補強する補強手段を設けた。
【０００９】
具体的には、第１の発明では、底壁と側壁と仕切壁とを備え、該仕切壁で仕切られた各収納室に電子機器及びその付属品を収納する収納箱を前提とし、
上記仕切壁は、上記側壁のうちの仕切壁用側壁に連続するフラップ部を折り畳んで該仕切壁用側壁と所定の間隔を空けて上記底壁に立設されるように構成され、
上記底壁は、スリット及び該スリットに連続する切り起こし線で区切られた舌形状の舌片を、該切り起こし線を境に折り曲げて起立させることにより形成する仕切壁の補強手段を備え、
上記補強手段の先端は、Ｕ字状に切り欠かれた切欠部を有し、
上記仕切壁は、上記底壁側が切り欠かれた係合用孔を有し、上記舌片を起立させてその先端の切欠部を該係合用孔に係合することにより、仕切壁が倒れて上記電子機器又はその付属品が該仕切壁を通過して移動するのを防止するように構成されている。
【００１０】
上記の構成によると、仕切壁は、仕切壁用側壁に連続するフラップ部で形成されているので、別部材により形成する必要がない簡単な構造であり、また、単に別部品の仕切壁を立設している場合と比べて強度が高い。また、仕切壁は、底壁に設けた補強手段の先端の切欠部を仕切壁の係合用孔に係合させて保持されているので、電子機器又はその付属品が仕切壁を通過して移動するのが防止される。この補強手段を別部品で構成することなく、底壁の一部にスリットを成形して切り起こし線を境に起立させるだけで容易に形成できるので、製造コストが抑えられる。
【００１１】
第２の発明では、上記舌片の切り起こし線と上記仕切壁とは、交差する傾きをもち、
上記切欠部の周縁が上記仕切壁の係合用孔を挟み込むように構成されている。
【００１２】
上記の構成によると、補強手段の先端の切欠部を仕切壁の係合用孔に係合させて該切欠部周縁を補強手段の先端で挟み込むことで仕切壁が倒れるのを防ぐことにより、電子機器又はその付属品が仕切壁を通過して移動するのが防止される。
【００１３】
第３の発明では、上記仕切壁の係合用孔は、該仕切壁下端と切り起こし線との交点を中心とする扇形に切り取られて成形されている。
【００１４】
上記の構成によると、舌片を起立させるときに常にその先端の切欠部を係合用孔に係止しておくことができるので、組立がし易く、また、仕切壁が舌片から外れがたい。
【００１５】
第４の発明では、上記仕切壁の係合用孔は、該仕切壁下端と切り起こし線との交点を中心として、底壁側から徐々に半径が小さくなる略扇形に切り取られて成形されている。
【００１６】
上記の構成によると、補強手段を切り起こし線を境に起立させるときに、切欠部の最も奥の周縁が係合用孔の周縁と徐々に当接しながら、該係合用孔の周縁を持ち上げて、仕切壁が堅固に保持される。
【００１７】
第５の発明では、上記仕切壁の係合用孔の上記底壁と反対側端部には、上記補強手段の先端を保持するための係合用凹部が形成されている。
【００１８】
上記の構成によると、係合用孔の周縁を持ち上げながら起立された補強手段の先端が、係合用凹部に入り込んで、仕切壁の定位置に確実に保持されるので、さらに効果的に電子機器やその付属品が仕切壁を越えて他の収納室に移動することが防止される。
【００１９】
第６の発明では、上記仕切壁は、上記仕切壁用側壁から所定の距離を空けて立設された中央仕切壁で構成され、
上記仕切壁用側壁と底壁と中央仕切壁とで第１収納室が形成されている。
【００２０】
上記の構成によると、中央仕切壁を補強手段で補強しているので、中央仕切壁で仕切られた第１収納室に収納した電子機器やその付属品が中央仕切壁を越えて他の収納室に移動することが防止される。
【００２１】
第７の発明では、上記仕切壁用側壁から伸びるフラップ部を折り畳むことで上記底壁よりも高い位置にある上側底壁が形成され、
上記仕切壁は、上記上側底壁に連続するフラップ部を折り畳んで立設された中央仕切壁で構成され、
上記仕切壁用側壁と上側底壁と中央仕切壁とで第１収納室が形成されている。
【００２２】
上記の構成によると、第１収納室は、底壁よりも高い位置に形成された上側底壁と中央仕切壁とで区切られているので、運搬時の上下方向の移動が制限され、振動に弱い電子機器を収納するのに適している。
【００２３】
第８の発明では、上記補強手段は、上記中央仕切壁に略直角に交わり、該中央仕切壁を上記仕切壁用側壁側及び反対側に倒れるのを防ぐように構成されている。
【００２４】
上記の構成によると、単に仕切壁から突出する凸部を他の壁に挿入するだけのものに比べ、仕切壁用側壁側及びその反対側のいずれの方向に押す力に対しても強いので、薄い仕切壁でも収納室から外方向へ向かう衝撃が吸収される。
【００２５】
第９の発明では、上記仕切壁用側壁から伸びるフラップ部を折り畳むことで上記底壁よりも高い位置にある上側底壁が形成され、
上記上側底壁に連続するフラップ部を折り畳んで底壁に中央仕切壁が立設され、
上記仕切壁は、上記中央仕切壁に連続するフラップ部を折り畳んで該中央仕切壁と略平行に立設された第１仕切壁と、該第１仕切壁に連続するフラップ部をさらに上記中央仕切壁側に折り畳んで該中央仕切壁に略垂直に交わる第２仕切壁とで構成され、
上記仕切壁用側壁と上側底壁と中央仕切壁とで第１収納室が仕切られ、
上記底壁と第１仕切壁と第２仕切壁と中央仕切壁で仕切られた空間で第２収納室が形成され、
少なくとも第１及び第２仕切壁のいずれか一方は、上記補強手段によって補強されている。
【００２６】
上記の構成によると、第１収納室は、底壁よりも高い位置に形成された上側底壁と中央仕切壁とで区切られて、運搬時の上下方向の移動が制限されるため、振動に弱い電子機器を収納するのに適している。第２収納室は、底壁と第１仕切壁と第２仕切壁と中央仕切壁で仕切られた比較的狭い空間であり、少なくとも第１及び第２仕切壁のいずれか一方が補強手段で補強されているので、電池などの小さくて質量の大きいものの収納に適している。
【００２７】
第１０の発明では、収納箱は、１枚の板紙から形成される構成とする。
【００２８】
上記の構成によると、部品点数が減るので、製造コストが下がり、かつ組立工数も減る上、紙製であるため、加工がし易くリサイクルも可能である。
【００２９】
第１１の発明では、上記底壁よりも若干大きな底板及び天板を有する外装箱の中に挿入され、上方から該天板又は外装箱の仕切板で覆われた状態で梱包される構成とする。
【００３０】
上記の構成によると、仕切壁は底壁で固定せざるを得ないので、底壁に設けた補強手段で仕切壁の変形を防いで電子機器又はその付属品が仕切壁を通過して移動するのを防止する効果が顕著に発揮される。
【００３１】
第１２の発明では、携帯通信機器及びその付属品を収納する収納箱とする。
【００３２】
上記の構成によると、携帯電話機などの携帯通信機器の収納に適した収納箱を作ることができ、輸送中もある程度の衝撃に耐えることができる。
【発明の効果】
【００３３】
以上説明したように、本発明によると、製品やその付属品を仕切壁で仕切られた別々の収納室に収納し、底壁の一部に設けたスリットを切り起こし線を境に起立させることにより補強手段を形成し、この補強手段で仕切壁を補強することにより、大きな衝撃を受けても仕切壁が外れずに、電子機器及びその付属品が収納室から移動しない簡単な構造の収納箱を提供することができる。
【発明を実施するための最良の形態】
【００３４】
以下図面を参照して本発明の実施形態を説明する。
【００３５】
図１は、本発明の実施形態に係る収納箱の展開図である。図２は、本発明の実施形態に係る収納箱の組立状態の斜視図である。図３は、本発明の実施形態に係る収納箱の補強部材及びその周辺を拡大して示す正面図である。図４は、本発明の実施形態に係る収納箱の補強部材を起立させたときの様子を拡大して示す斜視図である。図５は、図４を別方向から見た斜視図である。図６は、本発明の実施形態に係る収納箱に携帯電話機及びその付属品を収納した様子を示す平面図である。
【００３６】
図１乃至図６に示すように、収納箱１は、例えば、携帯電話機の本体４１、電池４２、電池蓋４３、充電器４４、コード４５（共に図示せず）を収納するための直方体状紙製容器である。この収納箱１は、１枚の板紙１ａを折り畳むことで形成される。
【００３７】
図６に示すように、携帯電話機の製品出荷時には、例えば、収納箱１の底壁２よりも若干大きい底壁を有する外装箱５０に上記収納箱１が収納される。すなわち、外装箱５０の底部に収納箱１が収納され、その上部に仕切板が載置され、その上に説明書等（共に図示せず）が載置された状態で外装箱５０内に梱包される。このため、収納箱１には、天壁（上壁）が設けられていないが、天壁が一体に設けられた構造でもよい。
【００３８】
上記板紙１ａにおける矩形状の底壁２の周辺には、仕切壁用側壁としての第１側壁３、第２側壁４、第３側壁５及び第４側壁６が設けられている。第１乃至第４側壁３〜６のいずれも、フラップ部としての第１乃至第４内側側壁３ａ〜６ａを備えている。これら第１乃至第４側壁３〜６と、第１乃至第４内側側壁３ａ〜６ａとは、上面部３ｂ〜６ｂで連結され、第１乃至第４内側側壁３ａ〜６ａを内側に折り畳んで、上面部３ｂ〜６ｂが上側にくるようにして組み立てられるようになっている。このことで、第１乃至第４側壁３〜６は、二重構造（多重構造）になっている。
【００３９】
隣り合う第１乃至第４側壁３〜６間には、中央に折れ線７ａを有する袋部７が形成されている。また、第２内側側壁４ａ及び第４内側側壁６ａの両端には、補強フラップ４ｃ，６ｃがそれぞれ形成されている。この袋部７を折れ線７ａに沿って内側に折り畳み、折り畳んだ袋部７を同じく内側に折り込んだ補強フラップ４ｃ，６ｃに当接させるようにして第１内側側壁３ａ及び第３内側側壁５ａを折り畳むと、補強フラップ４ｃ，６ｃ及び袋部７が第１内側側壁３ａ及び第３内側側壁５ａの内部に納められるようになっている。
【００４０】
上記第１内側側壁３ａは、上記第２〜第４内側側壁４ａ〜６ａと構成が異なり、さらにフラップ部が伸びている。すなわち、第１内側側壁３ａは、第１側壁３よりも高さが短く、上記底壁２と略平行に、かつ該底壁２よりも高い位置に形成される上側底壁８が連結されている。さらに上側底壁８には、上記第１内側側壁３ａと略平行で同じ高さの舌付側壁９（図１にのみ示す）が連続している。この舌付側壁９は、底壁２まで伸びる支持用舌部９ａを有している。舌付側壁９と略平行に中央仕切壁１０が立設されるように、舌付側壁９と中央仕切壁１０とが中央上面部１１で連結されている。
【００４１】
第４内側側壁６ａの第１内側側壁３ａ側には、第１係合孔１５が形成されている。同様に第４内側側壁６ａの長手方向中央部には、第２係合孔１６及び第３係合孔１７が所定の間隔を空けて形成されている。第４内側側壁６ａの第３内側側壁５ａ側には第４係合孔１８が形成されている。
【００４２】
同様に上記第４内側側壁６ａに対向する第２内側側壁４ａの第１内側側壁３ａ側には、第１係合孔１５が形成されている。第２内側側壁４ａの長手方向中央部には、第２係合孔１６が形成されている。第２内側側壁４ａの第３内側側壁５ａ側には第４係合孔１８が形成されている。
【００４３】
上記第１内側側壁３ａは、上記第１係合孔１５に対応する位置に第１係合爪３ｃを備え、この第１係合爪３ｃを上記第２及び第４内側側壁４ａ，６ａの第１係合孔１５に挿入することにより、二重構造の第１側壁３が分解しないよう固定される。
【００４４】
上記中央仕切壁１０は、上記第２係合孔１６に対応する位置に第２係合爪１０ａを備え、この第２係合爪１０ａを第２係合孔１６に挿入することにより、中央仕切壁１０が移動しないように固定されている。この中央仕切壁１０と第１側壁３と上側底壁８で仕切られた空間により、携帯電話機本体４１を収納するための第１収納室２１が形成される。
【００４５】
上記中央仕切壁１０の一方には、電池４２及び電池蓋４３を挿入する第２収納室２２を形成するための第１及び第２仕切壁１２，１３が連結部１０ｂを介し、第１側壁３のフラップ部が伸びる方向と略垂直な方向（図１の上方向）に伸びるように連結されている。第１仕切壁１２と連結部１０ｂとの境には、上記第３係合孔１７に対応する位置に第３係合爪１２ａが形成されている。第２仕切壁１３の先端には、挿入部１３ａが形成され、この挿入部１３ａは折り畳むことにより、矢尻形状を有するようになっている。挿入部１３ａの先端には、固定用爪１３ｂが形成され、挿入部１３ａを折り畳んだときに、挿入部１３ａの根元にくるようになっている。中央仕切壁１０には、挿入部１３ａに対応する位置に該挿入部１３ａを係止するための第４係合孔１９が形成されている。第４係合孔１９には、固定用爪１３ｂが係合する固定用凹部１９ａが形成されている。
【００４６】
すなわち、上記中央仕切壁１０を立設させた状態で、連結部１０ｂを第４内側側壁６ａに当接させ、第１仕切壁１２を折り曲げて中央仕切壁１０と略平行に立設させ、さらに第２仕切壁１３を折り曲げて連結部１０ｂと略平行に立設させることにより、上記第２収納室２２が形成されるようになっている。第１仕切壁１２の第３係合爪１２ａを第３係合孔１７に係止することにより、第１仕切壁１２が第４内側側壁６ａに固定されている。第２仕切壁１３の挿入部１３ａを上記第４係合孔１９に挿通させた後、固定用爪１３ｂを固定用凹部１９ａに係合させることで第２仕切壁１３が中央仕切壁１０から抜け出さないようになっている。このように第１仕切壁１２及び第２仕切壁１３を底壁２に立設させることで、第１仕切壁１２及び第２仕切壁１３は適度に変形可能に構成されている。
【００４７】
中央仕切壁１０、第１仕切壁１２及び第２仕切壁１３によって仕切られた残りの空間で充電器４４、コード４５を収納するための第３収納室２３が形成されている。
【００４８】
本発明の特徴として、底壁２には、携帯電話機本体４１又はその付属品４２〜４５が第１及び第２仕切壁１２，１３を通過して移動するのを防止する補強手段３２が設けられている。具体的には、補強手段３２は、底壁２に設けたスリット２９及び該スリット２９に連続する切り起こし線３０（図１に破線で示す）で区切られた舌形状の舌片３１を、該切り起こし線３０を境に折り曲げて起立させることにより形成されている。
【００４９】
つまり、上記補強手段３２の先端は、Ｕ字状に切り欠かれた切欠部３１ａを有している。上記第１仕切壁１２は、上記底壁２側が切り欠かれた係合用孔３３を有し、上記舌片３１を起立させてその先端の切欠部３１ａを該係合用孔３３に係合するようになっている。図３に示すように、上記第１仕切壁１２の係合用孔３３は、該第１仕切壁１２下端と切り起こし線３０との交点Ｘを中心として、底壁２側から徐々に半径が小さくなる略扇形に切り取られて成形されている。すなわち、図３に一点鎖線で示す、交点Ｘを中心とする半径一定の扇形に比べて、底壁２側では、半径が小さく、上側で半径が大きくなっている。係合用孔３３における最も上端の第２仕切壁１３側には、上記補強手段３２の先端を保持するための係合用凹部３４が形成されている。
【００５０】
このことで、補強手段３２が上記第１仕切壁１２に略直角に交わり、定位置で切欠部３１ａが係合用孔３３の周縁を挟み込んだ状態で、該第１仕切壁１２を上記第１側壁３側及び反対側に倒れるのを防ぐように構成されている。
【００５１】
−作用−
次に、本実施形態に係る収納箱の作用について説明する。
【００５２】
図６に示すように、第２収納室２２には、電池４２及び電池蓋４３が収納されている。特に電池４２は、質量が重いため落下の衝撃の影響を受けやすく、衝撃を受けると第１及び第２仕切壁１２，１３を超える可能性が高い。落下等の衝撃により内部に挿入された電池４２、電池蓋４３が第１及び第２仕切壁１２，１３を越えて第３収納室２３に出てくると、他の部品等と接触して傷発生の原因になりかねない。
【００５３】
しかし、本実施形態では、補強手段３２を設けているので、第１及び第２仕切壁１２，１３を超えて電池４２や電池蓋４３が第３収納室２３側に移動するのが防止される。
【００５４】
具体的には、補強手段３２の先端の切欠部３１ａを第１仕切壁１２の係合用孔３３に係合させて該切欠部３１ａ周縁を補強手段３２の先端で挟み込むことで第１仕切壁１２が倒れるのが防がれる。つまり、単に第１仕切壁１２から突出する凸部を他の壁に挿入するだけのものに比べ、第１側壁３側及びその反対側のいずれの方向に押す力に対しても強いので、薄い第１仕切壁１２でも第２又は第３収納室２２，２３から他の第２又は第３収納室２２，２３へ向かう衝撃が吸収される。
【００５５】
また、第１仕切壁１２の係合用孔３３を交点Ｘを中心とし、底壁２側から徐々に半径が小さくなる略扇形にしたことにより、補強手段３２を切り起こし線７ａを境に起立させるときに、切欠部３１ａの最も奥の周縁が係合用孔３３の周縁と徐々に当接しながら、係合用孔３３の周縁を持ち上げて、第１仕切壁１２が堅固に保持される。そして、第１仕切壁１２に係合用凹部３４を形成したことにより、係合用孔３３の周縁を持ち上げながら起立された補強手段３２の先端が、係合用凹部３４に入り込んで、第１仕切壁１２の定位置に確実に保持される。
【００５６】
したがって、本実施形態に係る収納箱１によると、電池４２や電池蓋４３を第１及び第２仕切壁１２，１３で仕切られた第２収納室２２に収納し、底壁２の一部に設けたスリット２９を切り起こし線３０を境に起立させることにより補強手段３２を形成し、この補強手段３２で第１仕切壁１２を補強することにより、大きな衝撃を受けても第１仕切壁１２が外れずに、電池４２、電池蓋４３、充電器４４、コード４５等が第２及び第３収納室２２，２３から移動しない簡単な構造の収納箱１を提供することができる。
【００５７】
また、第１及び第２仕切壁１２，１３は、第１側壁３に連続して形成されているので、第１及び第２仕切壁１２，１３を別部材により形成する必要がない簡単な構造であり、また、単に１枚ものの第１及び第２仕切壁１２，１３を立設している場合と比べて強度が高い。
【００５８】
また、補強手段３２を別部品で構成することなく、底壁２の一部にスリット２９を成形して切り起こし線３０を境に起立させるだけで形成できるので、製造コストが抑えられる。
【００５９】
第１収納室２１は、底壁２よりも高い位置に形成された上側底壁８と中央仕切壁１０とで区切られて、運搬時の上下方向の移動が制限されるため、振動に弱い携帯電話機本体４１を収納するのに適している。第２収納室２２は、底壁２と第１仕切壁１２と第２仕切壁１３と中央仕切壁１０で仕切られた比較的狭い空間であり、第１仕切壁１２が補強手段３２で補強されているので、電池４２などの小さくて質量の大きいものの収納に適している。
【００６０】
収納箱１は、１枚の板紙から形成されているため部品点数が減るので、製造コストが下がり、かつ組立工数も減る上、紙製であるため、加工がし易くリサイクルも可能である。
【００６１】
また、収納箱１を外装箱５０の中に挿入して梱包する場合、第１仕切壁１２は底壁２で固定せざるを得ないので、底壁２に設けた補強手段３２で第１仕切壁１２の変形を防いで電池４２、電池蓋４３、充電器４４、コード４５等が第１仕切壁１２を通過して移動するのをさらに効果的に防止することができる。
【００６２】
さらに、本実施形態の収納箱１は、携帯電話機などの携帯通信機器の収納に適し、輸送中もある程度の衝撃に耐えることができる。
【００６３】
（その他の実施形態）
本発明は、上記実施形態について、以下のような構成としてもよい。
【００６４】
すなわち、上記実施形態では、舌片３１の切り起こし線３０と第１仕切壁１２とは、直交するようにしたが、必ずしもこのようにする必要はなく、斜めに交差する傾きをもつようにしてもよい。この場合にも、切欠部３１ａの周縁が第１仕切壁１２の係合用孔３３を挟み込むようにするとよい。
【００６５】
上記第１仕切壁１２の係合用孔３３は、該第１仕切壁１２下端と切り起こし線３０との交点Ｘを中心とする半径が一定の扇形に切り取られて成形されたものでよい。このことで、舌片３１を切り起こし線３０を境に起立させるときに、切欠部３１ａの周縁の奥の部分が係合用孔３３の周縁と当接するのが避けられるので、組立が容易である。
【００６６】
上記実施形態では、第１及び第２仕切壁１２，１３を設けたが、これら第１及び第２仕切壁１２，１３を設けずに中央仕切壁１０自体を補強手段３２で補強してもよい。
【００６７】
上記実施形態では、補強手段３２は、第１仕切壁１２にのみ設けたが、第２仕切壁１３側にのみ設けたり、両方に設けてもよい。また、各仕切壁１２，１３に複数設けてもよい。要は、各仕切壁１２，１３の長さや収納物に合わせて調整すればよい。
【００６８】
上記実施形態では、仕切壁用側壁は、第１側壁３のみとしたが、第１側壁３以外の側壁も仕切壁用側壁としてもよい。この場合には、他の仕切壁用側壁にも第１仕切壁１２や第２仕切壁１３を設けるようにすればよい。
【００６９】
上記実施形態では、電子機器は、携帯電話機としたが、ＰＣ、モバイルツール、電子辞書、電卓、複写機等であってもよい。また、ＰＨＳ、ＰＤＡなどの携帯通信機器であってもよい。
【００７０】
なお、以上の実施形態は、本質的に好ましい例示であって、本発明、その適用物や用途の範囲を制限することを意図するものではない。
【図面の簡単な説明】
【００７１】
【図１】本発明の実施形態に係る収納箱の展開図である。
【図２】本発明の実施形態に係る収納箱の組立状態の斜視図である。
【図３】本発明の実施形態に係る収納箱の補強部材及びその周辺を拡大して示す正面図である。
【図４】本発明の実施形態に係る収納箱の補強部材を起立させたときの様子を拡大して示す斜視図である。
【図５】図４を別方向から見た斜視図である。
【図６】本発明の実施形態に係る収納箱に携帯電話機及びその付属品を収納した様子を示す平面図である。
【符号の説明】
【００７２】
１      収納箱
１ａ    板紙
２      底壁
３      第１側壁（仕切壁用側壁）
４      第２側壁
５      第３側壁
６      第４側壁
８      上側底壁
１０      中央仕切壁
１２      第１仕切壁
１３      第２仕切壁
２１      第１収納室
２２      第２収納室
２９      スリット
３０      切り起こし線
３１      舌片
３１ａ    切欠部
３２      補強手段
３３      係合用孔
３４      係合用凹部
４１      携帯電話機本体（電子機器）
４２〜４５      付属品
５０      外装箱
【図１】
2007290733.tif 000003
【図２】
2007290733.tif 000004
【図３】
2007290733.tif 000005
【図４】
2007290733.tif 000006
【図５】
2007290733.tif 000007
【図６】
2007290733.tif 000008